(57)【要約】      （修正有）【課題】解体作業が容易な液晶表示装置を提供する。【解決手段】液晶パネルモジュール１を、フロントキャビネット２及びバックキャビネット３により間挿した液晶表示装置３０において、フロントキャビネット２は、液晶パネルモジュール１側へ突出した突出部８を有するとともに、液晶表示装置３０は、固定部材４をさらに有し、固定部材４は、突起部１４を有する第１の当接板１５及び第２の当接板１６により略Ｌ字形状を成し、突起部１４が、フロントキャビネット２の突出部８に掛止することにより、液晶パネルモジュール１をフロントキャビネット２に固定する。【選択図】図２
2014032296.tif 000002
【特許請求の範囲】
【請求項１】
液晶パネルモジュールを、フロントキャビネット及びバックキャビネットにより間挿した液晶表示装置であって、
前記フロントキャビネットは、前記液晶パネルモジュール側へ突出した突出部を有するとともに、
前記液晶表示装置は、固定部材をさらに有し、
前記固定部材は、突起部を有する第１の当接板及び第２の当接板により略Ｌ字形状を成し、
前記突起部が、前記フロントキャビネットの突出部に掛止することにより、液晶パネルモジュールをフロントキャビネットに固定する
ことを特徴とする液晶表示装置。
【請求項２】
前記第１の当接板は、前記液晶パネルモジュールの上辺または側辺に当接し、
前記第２の当接板は、前記液晶パネルモジュールの背面に当接する
ことを特徴とする請求項１記載の液晶表示装置。
【請求項３】
前記バックキャビネットは規制部を有し、
前記規制部は、凹形状を成し、前記固定部材が動かないように規制することを特徴とする請求項１記載の液晶表示装置。
【請求項４】
請求項１、２、３記載の液晶表示装置を備えることを特徴とする液晶テレビ。
【請求項５】
フロントキャビネットに液晶パネルモジュールを組み込むステップと、
固定部材を液晶パネルモジュールの背面側から、前記フロントキャビネットの突出部の脇に配置するステップと、
前記固定部材を前記フロントキャビネットの突出部に前記固定部材の突出部を引っ掛けつつ滑らすステップと、
前記液晶パネルモジュールの背面からバックキャビネットを組み合わせるステップとからなることを特徴とする液晶表示装置の組み立て方法。
【発明の詳細な説明】
【技術分野】
【０００１】
本発明は、液晶テレビなどの液晶表示装置に関し、特に液晶パネルモジュールにフロントキャビネットとバックキャビネットを取り付ける場合の取り付け構造に関する。
【背景技術】
【０００２】
従来から液晶テレビやパソコンなどに使用される液晶表示装置は、液晶パネル、バックライト装置、光学シート類などから成る液晶パネルモジュールへフロントキャビネットやバックキャビネットなどの筺体を取り付けて構成される。液晶パネルモジュールを構成する各部材や前記筺体の形状や大きさ、部品点数などは、装置の組み立てやメンテナンス時における作業効率、額縁の幅や外観などの意匠性、部材費用や組み立て設備などのコスト等へ影響を及ぼす。
【０００３】
特許文献１には、液晶テレビジョン装置などの薄型表示装置に関し、特に、バックライト装置に前キャビネットを取り付ける場合の取り付け構造が開示されている。図７は特許文献１を説明する図であり、前キャビネット１０１、パネルホルダ１０２、ベゼル１０３、１０４、補強部材１０５、後キャビネット１０６により、液晶パネル１０７、拡散板１０８、液晶パネルバックライト部１０９、バックライト反射板１１０を挟んで保持し表示装置を成す。バックライト部１０９に前キャビネット１０１を取り付けるために液晶パネルバックライト部１０９の前面側に、前キャビネット１０１が配置されており、その前キャビネット１０１には、外周端部に、液晶パネルバックライト部１０９側に延びる爪フック１１１を有する爪部１１３が設けられている。爪フック１１１は、その下面がベゼル１０３の上面に当接しており、さらに、爪フック１１１の先端部には、ベゼル１０３の背面側の端部に引っ掛けて係止する引っ掛け（フック）部が形成されている。さらに、爪フック１１１の上方に、爪フック１１１と同方向に延びる突出部１１４が形成され、爪フック１１１の上面と突出部１１４の下面とにより形成される隙間部に後キャビネット１０６の先端部が挿入されている。
【０００４】
特許文献１によれば、爪でフロントキャビネットをパネルに固定することにより、表示パネルを立てた状態で他の作業者が薄型表示装置の後ろから支えることなく一人で作業ができるとしている。
【先行技術文献】
【特許文献】
【０００５】
【特許文献１】特開２００９−４２５３７号公報
【発明の概要】
【発明が解決しようとする課題】
【０００６】
しかしながら特許文献１薄型表示装置の爪部１１３は、爪フック１１１の先端部に引っ掛け部を形成し、爪フック１１１の上方には突出部１１４を形成するという複雑な形状を成しているため、その薄型表示装置の製造工程において成型が困難であった。また、上記薄型表示装置は、爪フック１１１が複数設けられているため、メンテナンスなどのために薄型表示装置の一部または全部を解体しようとすると作業に時間が掛かるという課題がある。具体的には、上記薄型表示装置を解体するためには、まず後キャビネット１０６を取り外し、次に前キャビネット１０１から液晶パネルバックライト部１０９を取り外す。このとき液晶パネルバックライト部１０９と前キャビネット１０１は、複数の爪部１１３によって固定されているため、全ての爪部１１３の爪フック１１１の先端部の引っ掛け部を、ベゼル１０３および１０４の背面側の端部から外し、全て外した状態を維持して前キャビネット１０１から液晶パネルバックライト部１０９を取り外す必要がある。そのためには、一度取り外した引っ掛け部が再び引っ掛からないようにするために、楔のような部材を、取り外した爪フック１１１の先端部の引っ掛け部とベゼル１０３および１０４の背面側の端部の間に挟み込むなどの煩わしい作業が必要となる。
【０００７】
本発明は上記課題を鑑み、フロントキャビネットには容易に形成できる突起部を形成し、フロントキャビネットとは別に固定部材を使用してフロントキャビネットと液晶パネルバックライト部を含む液晶パネルモジュールとを固定する液晶表示装置を提供するものである。
【課題を解決するための手段】
【０００８】
本発明の液晶表示装置は、液晶パネルモジュールを、フロントキャビネット及びバックキャビネットにより間挿した液晶表示装置であって、前記フロントキャビネットは、前記液晶パネルモジュール側へ突出した突出部を有するとともに、前記液晶表示装置は、固定部材をさらに有し、前記固定部材は、突起部を有する第１の当接板及び第２の当接板により略Ｌ字形状を成し、前記突起部が、前記フロントキャビネットの突出部に掛止することにより、液晶パネルモジュールをフロントキャビネットに固定することを特徴とする。また本発明の前記液晶表示装置の前記第１の当接板は、前記液晶パネルモジュールの上辺または側辺に当接し、前記第２の当接板は、前記液晶パネルモジュールの背面に当接することを特徴とする。また本発明の前記液晶表示装置は、前記バックキャビネットは規制部を有し、前記規制部は、凹形状を成し、前記固定部材がフロントキャビネットの突出部から外れないように規制することを特徴とする。
【０００９】
本発明の液晶テレビは、上記液晶表示装置を備えることを特徴とする。
【００１０】
本発明の液晶表示装置の組み立て方法は、前記フロントキャビネットに前記液晶パネルモジュールを組み込むステップと、前記固定部材を前記液晶パネルモジュールの背面側から、前記フロントキャビネットの突出部の脇に配置するステップと、前記固定部材を前記フロントキャビネットの突出部に前記固定部材の突出部を引っ掛けつつ滑らすステップと、前記液晶パネルモジュールの背面から前記バックキャビネットを組み合わせるステップとからなることを特徴とする。
【発明の効果】
【００１１】
本発明によれば、液晶表示装置のメンテナンス時における解体作業を簡単に行えるという効果がある。
【図面の簡単な説明】
【００１２】
【図１】本発明の実施形態の本実施形態の液晶表示装置の分解斜視図とフロントキャビネット２を裏面から見た略外観図である。
【図２】本発明の実施形態の液晶表示装置の要部を示す拡大断面図である。
【図３】本発明の実施形態の固定部材の斜視図である。
【図４】本発明の実施形態の固定部材と規制部を説明する図である。
【図５】本発明の実施形態の固定部材の突起部の形状の例を示す図である。
【図６】フロントキャビネット２と液晶パネルモジュール１を固定部材４によって固定する手順を示した図である。
【図７】従来の表示装置の要部を示す拡大断面図である。
【発明を実施するための形態】
【００１３】
本実施形態の液晶表示装置の構造を図１から図６に示す。図１の符号３０は、実施形態の液晶表示装置を示し、該液晶表示装置３０は、略直方体をなす液晶パネルモジュール１と、液晶パネルモジュール１の周縁部を取り囲むフロントキャビネット２と、液晶パネルモジュール１の後側を覆うバックキャビネット３と、フロントキャビネット２に液晶パネルモジュール１を固定するための固定部材４と、映像信号を受信する受信部５、電気回路６と、液晶パネルモジュール１を起立状態で支持するスタンド７とを備えていることを示している。
【００１４】
液晶パネルモジュール１は、図２に示すように、液晶パネル９と、液晶パネル９の後面側に配置された光学シート１０と、該光学シート１０の後面側に配置された導光板１１と、該導光板１１後面側に配置された反射シート１２と、これらを一体的に保持する保持部材１３と、図示しない光源とから成る。本実施形態の液晶表示装置３０のバックライトの仕組みはエッジライト方式と呼ばれ、液晶パネルモジュール１の下辺部にＬＥＤなどの光源を配置し、配置された光源から導光板の端部へ光を照射し、照射された光は光学シートや反射板などによって均一化され液晶パネルへ照射されるものである。
【００１５】
液晶パネルモジュール１の保持部材１３には、液晶パネルモジュール１とバックキャビネット３とをネジ止めするための図示しないネジ孔が形成される。また保持部材１３の後面側には受信部５、電気回路６が配置され、受信部５、電気回路６と液晶を駆動する液晶ドライバーやコントローラなどの電子部品とを接続するリード線を通すための貫通孔が保持部材１３に開孔される。なお本実施形態の液晶表示装置３０は、例えば、液晶テレビやパソコンなどに使用される液晶パネルなどに使用される。
【００１６】
図１に戻って説明する。符号８は突出部であり固定部材４が掛止するためのものである。突出部８は図１(ｂ)に示すようにフロントキャビネット２の上辺部と両側辺部に複数形成される。なお図は一例であり、突出部８の数や大きさは、液晶表示装置の大きさによって適宜決定される。なお突出部８は、フロントキャビネット２が金型加工によって製造される際に同時に形成される。
【００１７】
固定部材４を図２から図５を参照して説明する。図２、図３に示すように固定部材４は、突起部１４と、第１の当接板(以降当接板１５と称する)と、第２の当接板(以降当接板１６と称する)とを有する。固定部材４は、主に金属製であるが、硬化樹脂でもよい。図２において、固定部材４の突起部１４はフロントキャビネット２の突出部８に掛止し、当接板１５、１６は液晶パネルモジュール１の保持部材１３に当接する。フロントキャビネット２の上辺部に形成される突出部８に掛止する固定部材４の当接板１５が液晶パネルモジュール１の上辺に当接し、フロントキャビネット２の両側辺部に形成される突出部８に掛止する固定部材４の当接板１５が液晶パネルモジュール１の側辺に当接し、これら固定部材４の当接板１６が液晶パネルモジュール１を背面から支え、突起部１４が突出部８に掛止して、液晶パネルモジュール１の前後方向をフロントキャビネット２へ固定するものである。なお液晶パネルモジュール１の上下方向の固定は本実施形態の範囲外とする。
【００１８】
固定部材４の位置の規制について図４を参照して説明する。図４(ａ)は図２から固定部材４と規制部１７を抜き出したものであり、図４(ｂ)は、図４(ａ)を上部から見た図である。規制部１７は、凹形状をしており当接板１６から僅かな距離だけ離れて対向する。規制部１７は、両端に突起部１８を有しており、固定部材４が図４(ａ)の手前から奥の方向もしくは奥から手前の方向へ動いた場合に、突起部１８が固定部材４を受け止めて固定部材４が動かないように規制する。規制部１７によって固定部材４が、フロントキャビネット２の突出部８から外れないようにすることが可能になる。このため規制部１７は、フロントキャビネット２の突出部８と一対に配置される。なお規制部１７は、基本的には通常使用されるリブを凹形状に形成したものであり、バックキャビネット３が金型加工によって製造される際に同時に形成される。しかし別部材として製造し、両面テープによりバックキャビネットに張り付けたり、ネジによってネジ止めして固定してもよい。また固定部４の形状は図２から４に限定されない。例えば、図５のように突起部１９、突起部２０のような形状でもよい。突起部１９、２０のようにするとフロントキャビネット２が固定部材４を上下方向に関して挟持することが可能になる。
【００１９】
本実施形態の液晶表示装置３０の組み立て方法を、図６を参照して説明する。図６は、液晶表示装置３０の一部を拡大した拡大図であり、フロントキャビネット２と液晶パネルモジュール１を固定部材４によって固定する様子を図示している。まずフロントキャビネット２の裏面から液晶パネルモジュール１を近付けて、フロントキャビネット２へ組み合わせる。次に固定部材４を、フロントキャビネット２の突出部８の脇へ、矢印のように手前から奥の方向へ近付ける。次に固定部材４の突起部１２をフロントキャビネット２の突出部８に引っ掛けつつ矢印のように固定部材４を横に滑らせて、フロントキャビネット２へ挿入する。ひとつの固定部材４を挿入したら、別の固定部材４を別の箇所の突出部８へ同様に挿入する。全ての固定部材４を挿入したら、液晶パネルモジュール１の背面に受信部５や電気回路６などを配置し、規制部１７を形成されたバックキャビネット３を裏面から合わせ液晶パネルモジュール１にネジ止めする。最後にスタンド７や装飾部材などを取り付け、本実施形態の液晶表示装置３０が完成する。
【００２０】
以上説明したように本実施形態の液晶表示装置３０は、液晶パネルモジュール１と、突出部８を有するフロントキャビネット２と、突起部１４と当接板１５、１６を有する固定部材４と、固定部材４の位置を規制する規制部１７を有するバックキャビネット３から成り、固定部材４が液晶パネルモジュール１の保持枠体に当接しつつ、フロントキャビネット２の突出部８に掛止して、液晶パネルモジュール１をフロントキャビネット２へ固定するものである。
【００２１】
本実施形態の液晶表示装置３０は、フロントキャビネット２に形成される突出部８やバックキャビネット３に形成される規制部１７など特許文献１よりも比較的簡単な形状であり、成形が容易である。
【００２２】
また本実施形態の液晶表示装置３０も特許文献１と同様に筺体の複数個所を接続、固定して組み合わせるが、本実施形態の液晶表示装置３０には、別部材である固定部材４を使用しているため、液晶表示装置３０の解体作業を簡単に行えるという効果がある。すなわちメンテナンスなどにおける液晶表示装置３０の解体作業では、まずバックキャビネット３を取り外し、次に液晶パネルモジュールをフロントキャビネットから取り外すが、このフロントキャビネットからのフロントキャビネットの取り外しを、固定部材を個別に滑らせて取り外すだけで実施できる。特許文献１では、楔のような部材を全ての爪フック１１１の先端部の引っ掛け部とベゼルの背面側の端部の間に挟み込んで、全ての爪フック１１１が外れた状態を維持して前キャビネット１０１から液晶パネルバックライト部１０９を引き離す必要があり、作業に時間が掛かった。
【００２３】
また従来からネジを使用して各筺体を接続することが行われているが、ネジは液晶パネルや導光板を貫通させることはできないため、表示部の外枠周辺に貫通孔を形成し、ネジ止めする。このため額縁の幅が広くなってしまう。本実施形態の液晶表示装置３０によれば、当接板１７を液晶パネルや光学シートと重なる領域に当接しているので、固定部材４の額縁部へのサイズの影響は小さくなっており、ネジを配置する場合に比べて狭額縁化を実現できる効果もある。
【産業上の利用可能性】
【００２４】
本発明は、液晶表示装置およびテレビに利用することが可能である。
【符号の説明】
【００２５】
１  液晶パネルモジュール
２  フロントキャビネット
３  バックキャビネット
４  固定部材
５  受信部
６  電気回路
７  スタンド
８  突出部
９  液晶パネル
１０  光学シート
１１  導光板
１２反射シート
１３  保持部材
１４、１９、２０  固定部材の突起部
１８  規制部の突起部
１５  第１の当接板
１６  第２の当接板
１７  規制部
３０  液晶表示装置
１０１  前キャビネット
１０２  パネルホルダ
１０３、１０４  ベゼル
１０５  補強部材
１０６  後キャビネット
１０７  液晶パネル
１０８  拡散板
１０９  液晶パネルバックライト部
１１０  バックライト反射板
１１１、１１２  爪フック
１１３  爪部
１１４  突出部
【図１】
2014032296.tif 000003
【図２】
2014032296.tif 000004
【図３】
2014032296.tif 000005
【図４】
2014032296.tif 000006
【図５】
2014032296.tif 000007
【図６】
2014032296.tif 000008
【図７】
2014032296.tif 000009